(57)【要約】      （修正有）【課題】的の配置や交換が容易であり、多くの観客が楽しめる、弓船術用的構造体を提供する。【解決手段】側面に貫通孔を有する的柱を対向させて一対設け、的柱の貫通孔に挿入保持して対向する所定長の的板支持棒を設け、側面に挿入孔を有する的板３を設けるとともに、挿入孔内に的板支持棒を挿入させることにより、的柱間に的板を平行に位置させて、的板構造体とし、支持台８上に所定間隔を持って立設した平面視コ字形の中空支柱７にこの的板構造体を挿通配置させることにより、複数の的板を所定範囲内にて任意配置可能とした。【選択図】図７
0003201413.tif 000002
【実用新案登録請求の範囲】
【請求項１】
側面に貫通孔を有する的柱を対向させて一対設け、該的柱の貫通孔に挿入保持して対向する所定長の的板支持棒を設け、側面に挿入孔を有する的板を設けるとともに、該挿入孔内に的板支持棒を挿入させることにより、的柱間に的板を的柱と平行に位置させて、以上の構成による的板構造体を設け、適宜支持台上に所定間隔を持って立設される中空支柱を設け、この中空支柱内に上記の的板構造体を位置させることにより、複数の的板を所定範囲内にて任意配置可能としたことを特徴とする弓船術用的構造体。
【請求項２】
的板配置において、的板の稜を上下端としてなる請求項１記載の弓船術用的構造体。
【請求項３】
的柱の貫通孔内に支持棒保持スリーブを設けてなる請求項１または２記載の弓船術用的構造体。
【考案の詳細な説明】
【技術分野】
【０００１】  この考案は、水面上に浮かべた船の上に載置して用いる弓船術用の的構造体に関する。
【背景技術】
【０００２】  従来より、弓術として弓から放たれた矢を受けるものとしての的が多用されているが、本案にて示すように、船上に載置して的として用いるための弓船術用の的構造物は見当たらない。
【考案の概要】
【考案が解決しようとする課題】
【０００３】  日本には古来より弓道があり、和弓で矢を射て的に当てる一連の所作を通し、心身の鍛練をする武道がある。弓道は安全上の理由から主に専用道場でその訓練がなされ、射手から的までの距離は２８メートル、的の直径は３６センチメートルが使用されている（近的場）。一方、動的な状態にて的を射るものとしては、馬上からの騎射として流鏑馬が知られている。
これは、地上に立設した棒体の上部に方形板による的を、その稜を上下位置として取り付け、これを複数本所定間隔を有して連設し、射手は疾走する馬上からこの的に向けて矢を発射し、的板を割ってその枚数を競うものであり、古くから行われている行事である。
しかし、これらの的の前を通過しながらの射手所作のために、一定時間の間隔を置いての競技スタイルであって、それなりの競技時間を有し、この的は割れて周囲に飛散するために、その都度、的の交換作業が必要となり、１箇所に作業員を二名配置しなければならず、さらに馬の確保や設定作業などの必要のために日常訓練が困難であるなどの問題を有している。
本案は以上に鑑み、この的を川などの水面に浮かんだ船上に設置して、この船の前を通りかかる別船上に射手が位置して、射矢を行うことにより、上記の問題を解決しうる、新規かつ有用なる手段を提供することを目的として発案されたものである。
【課題を解決するための手段】
【０００４】  課題を解決する手段として本案は以下の構成とした。
すなわち、側面に貫通孔を有する的柱を対向させて一対設け、該的柱の貫通孔に挿入保持して対向する所定長の的板支持棒を設け、側面に挿入孔を有する的板を設けるとともに、該挿入孔内に的板支持棒を挿入させることにより、的柱間に的板を的柱と平行に位置させて、以上の構成による的板構造体を設け、適宜支持台上に所定間隔を持って立設される中空支柱を設け、この中空支柱内に上記の的板構造体を位置させることにより、複数の的板を所定範囲内にて任意配置可能とする。
本案は以上の構成よりなる弓船術用的構造体である。
【考案の効果】
【０００５】  本案は下記の効果を有する。
１．的板は支持棒にてその上下が保持される方式のため、矢が当たって割れた的板の飛散  を防止することができる。
２．中空支柱内に的板構造体を保持する方式のために、複数の的板を自在に配置すること  ができ、かつ、その交換も容易である。
３．複数の的板を使用する方式とすれば、狙う的板を選択することができ、的板に近接し  てマイクロフォンを設置し、観客近くにアンプやスピーカーを設けることによって、割  音を身近で聞いて臨場感を感じさせることができる。
４．川面上での行事とすれば、その対岸を観客場として一度に多くの観客が楽しむことが  できる。
【図面の簡単な説明】
【０００６】
【図１】  本考案の的板構造体の平面図
【図２】  本考案の的板構造体の正面図
【図３】  本考案の的板構造体の要部構造説明図
【図４】  本考案の平面図
【図５】  本考案の平面図（３連形式）
【図６】  本考案の正面図（３連形式）
【図７】  本考案の使用形式における正面視方向斜視図
【図８】  本考案の実例説明図
【考案を実施するための最良の形態】
【０００７】  以下、本考案の実施形態について説明する。
図において、１は的柱で、所定長の木製角柱体であり、一つの的に一対が用いられる。
この的柱側面には後述の的板支持棒の挿入保持のための貫通孔２が穿設される。
３は的板で、所定厚の方形木板であって、その稜を上下に位置させて用いられる。
この的板には図２〜図３にて示されるように、その側面に４個の挿入孔４が穿設される。
５は前記貫通孔内に保持される的板支持棒であって、所定長と所定直径の竹製棒体である。６は環状の支持棒保持スリーブで、前記貫通孔に内接して固着され、適度の柔軟性と弾力性を有する素材にて形成され、例えばゴムや、やや硬質の発泡合成樹脂などである。
７は鉄製の中空支柱で、平面視コ字形であり、前記の的柱が挿通可能である。
また、その下端は木製丸柱による支持台８上面に適宜支持部材にて固定立設される。
９は基部で、図７のごとく木製角柱を適宜に組み合わせ固定して製作される。【０００８】  本例の組み立て構成は、以下のとおりである。
まず、的柱の貫通孔内に的板支持棒を各々挿入し、対向する該支持棒間距離を設けておく。支持棒は竹製であって節部分があるが、スリーブは柔軟性と弾力性を有しているため、この節部分の挿通に支障はない。
次に、的板の挿入孔を支持棒位置に合わせて、支持棒を的柱間内方に移動させ、図３にて示すように、支持棒を挿入孔内に所定深さまで挿入して、一対の的柱間に的板を、その稜を上下端位置として位置させる。以上にて的板構造体１０が形成され、これを５組用意する。
図７のごとくあらかじめ組み上がった基部に支持台を固定し、支持台上に位置する中空支柱内に、前記の的板構造体が上方から挿入される。的板の上下位置調整のために、的柱と同様物を適宜長とした補助柱（図示略）を設けて、中空支柱内に位置させ、的板の上下位置を調整する。以上による構成体が図７である。【０００９】  本案の実施に際しては、図８にて示すように、川面上に位置する船上に本装置を載置固定する。この船はロープ等にて川底に固定され、流れていかないようその位置保持をする。射手は別の射手用の船に乗り、この船は的用船体の川上側から川下へと移動してくるが、この的用船体位置に射手用船体が差し掛かれば、射手は的をめがけて矢を放ち、的板を割った数をカウントして、その数にて射手レベルを競うこととなる。
川岸には、多くの見物客がそろって同時に見物することができる。【００１０】  以上、本案について記したが、本案は水上にて射手技能を競う新規な競技であって、従来からの流鏑馬とは異なる特徴を有するものである。図にて示すように、広いエリア内での競技となるために、一度に多くの観客が見物することができ、複数の的を使用して、見応えのあるものとなる。中空支柱内に的板構造体を挿入保持する方式のために、船上に係員を配置して的板構造体を複数個用意しておくことにて、前述のの射手搭乗船が差し掛かるまでに、的準備を行うことができる。【００１１】  本例では、支持棒保持スリーブを設けたので、支持棒を適度の嵌合状態にて的柱に保持することができるとともに、的柱に対する支持棒の水平方向位置調整が可能である。
また、射矢時において、的板と的板支持棒との関係にて、矢が当たったときの結果が異なってくる。的板が薄く、的板支持棒が強度を有すれば、割れた的板は割れた状態のまま支持棒に保持されて、その飛散がないので後片付けに便利となる。的板支持棒が低強度のときは、的板とともに破壊飛散するので、観客に与える視覚効果は明瞭となるが、後片付けが必要となる。しかし、船が大きければ、飛散が船内となって船外への飛散が防止される。あるいは、後方に飛散防止ネット等を用いるのも一方である。【００１２】  また、的を載置した船内にマイクロフォンを設け、対岸には無線方式のアンプとスピーカーを設置して、的の割れる音を拡大して身近に聞くことができるようにすると、観客は視覚と聴覚の双方からの刺激を受けて、より鮮明なる臨場感を味わうことができる。
この考案は既述のように、中空支柱内に的板構造体を挿入捧持する方式のため、その交換は１名で足り、広い川面での競技となれば団体戦を行うこともできる。
平素の訓練としては、トラック荷台に設置しての陸上方式が可能である。【００１３】  本考案は、射術競技として、風や動く標的に即応できる能力発揮の場としての利用ができ、また、前述のようにスピーカーを設置して、競技前や競技中に、蒙古襲来、平家物語などのかっての水軍戦の状況説明ができて、観客へのサービスとともに歴史的解説をすることができる。本案は川面以外に、湖上や海上にても十分に利用することができる。
以上のごとく、本案によって従来にない有用性を有する弓船術披露のための手段・方式を得ることができる。
【符号の説明】
【００１４】  １    的柱
２    貫通孔
３    的板
４    挿入孔
５    的板支持棒
６    支持棒保持スリーブ
７    中空支柱
８    支持台
９    基部
１０  的板構造体
２０  的板載置船
２１  係留ロープ
２２  射手搭乗船
２３  発音スピーカー
２４  観客
【図１】
0003201413.tif 000003
【図２】
0003201413.tif 000004
【図３】
0003201413.tif 000005
【図４】
0003201413.tif 000006
【図５】
0003201413.tif 000007
【図６】
0003201413.tif 000008
【図７】
0003201413.tif 000009
【図８】
0003201413.tif 000010